(57)【特許請求の範囲】
【請求項１】
前端部および後端部それぞれに設けられた雄型接触部および電線接続部に挟まれた中間部に、平板両側を立ち上げ両側をさらに折り曲げることにより天板が形成されてなる箱型部を備え、該箱型部下面にハウジングランスと係合する係合穴が形成されてなる雄型コンタクトにおいて、
前記箱型部の天板が二重に重なった板部からなる二重天板であって、該二重天板のうちの内側の天板から垂下する壁が該箱型部の後端近傍および前記係合穴の前端近傍の双方に設けられてなることを特徴とする雄型コンタクト。
【請求項２】
前記天板から垂下する壁の自由端が前記箱型部の底板に近接して配置されていることを特徴とする請求項１記載の雄型コンタクト。
【発明の詳細な説明】
【０００１】
【発明の属する技術分野】
本発明は、コネクタあるいはハーネスを構成するための雄型コンタクトに関する。
【０００２】
【従来の技術】
従来より相手コネクタ等に設けられ雌型コンタクトに嵌入するタブ形状の雄型接触部を前端部に備えるとともに、電線が接続されてなる電線接続部を後端部に備えた雄型コンタクトが知られており、そのような雄型コンタクトの、雄型接触部と電線接続部とに挟まれた中間部には、通常、平板両側を立ち上げ両側をさらに折り曲げることにより天板が形成された箱型部が備えられ、その箱型部には、この雄型コンタクトがハウジング内で回転してしまうのを防止するためのスタピライザや、ハウジング内に挿入された雄型コンタクトの抜け防止のためのハウジングランスに係合する係合穴等が設けられている。
【０００３】
例えば特開平９−８２３９６号公報には、そのような雄型コンタクトを備えた、コンタクトの半挿入検知が可能であるとともにコンタクトが正規位置に挿入されたときの保持強度の高いコネクタが開示されている。
【０００４】
【発明が解決しようとする課題】
ここで、そのような雄型コンタクトは多数本製造され、それぞれに電線が接続された後にコネクタハウジングに挿入されるが、雄型コンタクトはタブ形状の雄型接触部を有するため、コネクタハウジングに挿入される前の、雄型コンタクトどうしが容易に接触する可能性のある状況下で雄型コンタクトの雄型接触部前端が他の雄型コンタクトの箱型部に進入し、そのような状況が生じたときにそれらをほぐす作業が大変でありややもすると、その作業中に、他の雄型コンタクトの箱型部に進入した雄型部接触部の前端部分を折り曲げてしまうといった事故が生じるおそれがある。
【０００５】
上述した特開平９−８２３９６号公報には、箱型部の、ハウジング側のリテーナと係合する部分を折り曲げることにより、リテーナの嵌合の動きをスムーズにする技術が開示されており、この箱型の、リテーナと係合する部分が折り曲げられていることにより、結果的に、そのリテーナと係合する部分に、雄型接触部の進入を防止する壁が形成されている。
【０００６】
しかしながら、この公報に開示された技術は、箱型部の、リテーナとの係合部分に関してのみ、結果的に雄型接触部の進入が防止される壁が形成されたものであって、他の雄型コンタクトの雄型接触部先端が箱型部へ進入するのを完全に防止しているものではない。
【０００７】
本発明は、上記事情に鑑み、雄型接触部が他の同種の雄型コンタクトの箱型部に進入することを防止した雄型コンタクトを提供することを目的とする。
【０００８】
【課題を解決するための手段】
上記目的を達成する本発明の雄型コンタクトは、前端部および後端部それぞれに設けられた雄型接触部および電線接続部に挟まれた中間部に、平板両側を立ち上げ両側をさらに折り曲げることにより天板が形成されてなる箱型部を備え、該箱型部下面にハウジングランスと係合する係合穴が形成されてなる雄型コンタクトにおいて、
上記箱型部の天板が二重に重なった板部からなる二重天板であって、その二重天板のうちの内側の天板から垂下する壁が箱型部の後端近傍および係合穴の前端近傍の双方に設けられてなることを特徴とする。
【０００９】
本発明の雄型コンタクトは、箱型部の天板を二重に構成し、内側の天板から垂下する壁を、箱型部の後端近傍および係合穴の前端近傍の双方に設けたため、その雄型コンタクトの雄型接触部が他の同種の雄型コンタクトの箱型部に進入することが防止され、したがって従来必要であった、一旦進入した状態の雄型コンタクトを互いにほぐす作業が不要となり、また雄型接触部の折れ曲がり事故が防止される。
【００１０】
【発明の実施の形態】
以下、本発明の実施形態について説明する。
【００１１】
図１，図２，図３、および図４は、本発明の一実施形態としての雄型コンタクトの、平面図、正面図、右側面図、および左側面図である。また、図５，図６、および図７は、図１〜図４に示す雄型コンタクトの、それぞれ、図１に示すＺ−Ｚ方向に見た断面図、図１に示すＹ−Ｙ方向に見た断面図、および、図１に示すＹＹ−ＹＹ方向に見た断面図である。
【００１２】
ここに示す雄型コンタクト１００は、製造段階及び電線（図示せず）との接続段階で必要となるキャリア１０が後端に接続された状態のものであり、このキャリア１０は、電線との接続の際に、切断、除去される。
【００１３】
この雄型コンタクト１００の前端部には、平板の折り曲げにより、その平板の約２枚分の厚さを持つタブ形状の雄型接触部１１０が形成されている。この雄型接触部１１０は、図示しない雌型コンタクトに挿入されてコンタクト間の電気的な導通を図るための部分である。この雄型接触部１１０の根元の部分には、横方向に突出した部分１１１が設けられている。この部分１１１はこの雄型コンタクト１００が図示しないハウジングに挿入されたときそのハウジングに形成された溝に入り込むことによりそのハウジングに対する雄型コンタクトの姿勢を安定化させるためのものである。
【００１４】
また、この雄型コンタクト１００の後端部には、図示しない電線が接続される電線接続部１２０が形成されている。この電線接続部１２０は、電線の先端近傍の、被覆された部分を把握するためのインスレーションバレル１２１と、電線先端の、被覆が剥がされることにより剥き出しになった芯線がかしめられる（圧着される）ワイヤバレル１２２とを備えている。
【００１５】
また、この雄型コンタクト１００の、雄型接触部１１０と電線接続部１２０とに挟まれた中間部には、箱型部１３０が形成されている。この箱型部１３０には、底板１３１と、その底板１３１から両側を立ち上げることにより形成された側壁１３２と、その側壁１３２がさらに折り曲げられてなる天板１３３とが形成されている。この天板１３３は、図５に示されているように、重ねられた２枚の天板１３３ａ，１３３ｂから構成されている。
【００１６】
また、この箱型部１３０には、底板が切り起こされた形状のスタビライザ１３４が形成されている。このスタビライザ１３４は、ハウジング内に挿入されたときにハウジング内の溝に嵌入して、ハウジングに対する雄型コンタクト１００の姿勢を安定化させると共に、ハウジングに対する正しい方向の場合にのみハウジングに挿入可能となる方向性を付与するものである。
【００１７】
さらに、この箱型部１３０は、その底部に、スタビライザ１３４を形成することによって形成された係合穴１３５を有する。この係合穴１３５は、この雄型コンタクト１００がハウジングに挿入されたときに、そのハウジング内に設けられたハウジングランスと係合することによって、この雄型コンタクトの、ハウジングからの抜け防止を図るためのものである。
【００１８】
ここで、図５に示すように、箱型部１３０には、さらに、２枚の天板１３３ａ，１３３ｂのうちの内側の天板１３３ｂから垂下する２つの壁１３６，１３７が設けられている。これら２つの壁１３６，１３７のうちの一方の壁１３６は、箱型部１３０の後端近傍に形成されており、もう一方の壁１３７は、係合穴１３５の前端近傍に形成されている。
【００１９】
この２つの壁１３６，１３７が形成されているため、この雄型コンタクト１００が複数相互に接触する状況にあるとき、ある雄型コンタクト１００の雄型接触部１１０の先端が他の雄型コンタクトの箱型部１３０に進入するような姿勢になってもそこに形成された壁１３６，１３７に阻まれて進入することができず、したがって雄型コンタクトどうしの絡みが防止され、それらをほぐす手間が不要となり、したがって当然に、従来それらをほぐすときに生じていた雄型接触部の折れ曲がり事故が防止されることになる。
【００２０】
ここで、壁１３６，１３７の自由端は、底壁１３１にきわめて近接して配置される。具体的には、壁１３６，１３７の自由端と底壁１３１との間隙は０ｍｍより大きく、０．２５ｍｍより小さい。壁の自由端を底壁１３１に当接させていないのは、当接させると箱型部１３０の形成が容易でないためである。壁の自由端及び底壁１３１の近接配置により、上下方向からの外力に対して箱型部１３０の強度を補強することにも役立っている。
【００２１】
【発明の効果】
以上、説明したように、請求項１の発明によれば、雄型接触部先端が他の同種の雄型コンタクトの箱型部に進入することが防止され、それらをほぐす手間が不要となり、また雄型接触部の先端の折れ曲がり事故の発生が防止される。
【００２２】
また請求項２の発明によれば、壁の自由端が底壁に近接して配置されているので、上下方向からの外力に対して箱型部が補強される。
【図面の簡単な説明】
【図１】本発明の一実施形態としての雄型コンタクトの平面図である。
【図２】本発明の一実施形態としての雄型コンタクトの正面図である。
【図３】本発明の一実施形態としての雄型コンタクトの右側面図である。
【図４】本発明の一実施形態としての雄型コンタクトの左側面図である。
【図５】図１〜図４に示す雄型コンタクトの、図１に示すＺ−Ｚ方向に見た断面図である。
【図６】図１〜図４に示す雄型コンタクトの、図１に示すＹ−Ｙ方向に見た断面図である。
【図７】図１〜図４に示す雄型コンタクトの、図１に示すＹＹ−ＹＹ方向に見た断面図である。
【符号の説明】
１００    雄型コンタクト
１１０    雄型接触部
１２０    電線接続部
１３０    箱型部
１３１    底板
１３２    側壁
１３３，１３３ａ，１３３ｂ    天板
１３５    係合穴
１３６，１３７    壁
【図１】
0003561464.tif 000002
【図２】
0003561464.tif 000003
【図３】
0003561464.tif 000004
【図４】
0003561464.tif 000005
【図５】
0003561464.tif 000006
【図６】
0003561464.tif 000007
【図７】
0003561464.tif 000008